(57)【特許請求の範囲】
【請求項１】
特定有価証券の入金処理を行い、該特定有価証券を収納する特定有価証券入金機であって、
前記特定有価証券を機内に取り込む取り込み手段と、
前記機内に取り込んだ特定有価証券に記載されたデータを読み取って読み取りデータを生成する読み取り手段と、
前記読み取り手段で読み取った読み取りデータであるイメージ画像を格納する格納手段と、
前記格納手段に格納するイメージ画像を表示する表示手段と、
前記読み取りデータの正当性を示す承認指示を行う操作手段と、
前記操作手段で承認指示がなされると前記特定有価証券を収納する収納手段と
を備えることを特徴とする特定有価証券入金機。
【請求項２】
前記イメージ画像を認識して認識データを生成する認識手段をさらに備え、前記認識データを前記表示手段に表示することを特徴とする請求項１に記載の特定有価証券入金機。
【請求項３】
前記表示手段は、前記イメージ画像と前記認識データとを表示することを特徴とする請求項２に記載の特定有価証券入金機。
【請求項４】
前記操作手段により承認指示がなされた場合に、前記読み取りデータに基づいて入金処理データを生成する入金処理データ生成手段をさらに備え、
前記格納手段は、前記特定有価証券である小切手に関するデータを格納するデータファイルと前記特定有価証券である手形に関するデータを格納するデータファイルとを有し、
前記データファイルは、前記認識データと前記イメージ画像と前記入金処理データとを対応させて格納している
ことを特徴とする請求項２又は３に記載の特定有価証券入金機。
【請求項５】
前記手形に関する入金処理データは、所定の形式で集計され、出票可能な状態又は外部機器へ送信可能な状態で前記手形に関するデータを前記データファイルに格納することを特徴とする請求項４に記載の特定有価証券入金機。
【請求項６】
前記小切手の入金処理データは、前記特定有価証券入金機で入金処理を行った小切手が機内に収納されているか、機外で管理されているかの情報を含むことを特徴とする請求項４又は５に記載の特定有価証券入金機。
【請求項７】
特定有価証券の入金処理を行い、該特定有価証券を収納する特定有価証券入金機における特定有価証券入金方法であって、
前記特定有価証券を機内に取り込む取り込み工程と、
前記機内に取り込んだ特定有価証券に記載されたデータを読み取って読み取りデータを生成する読み取り工程と、
前記読み取り工程で読み取った読み取りデータであるイメージ画像を記憶部に格納する格納工程と、
前記格納工程により記憶部に格納されたイメージ画像を表示する表示工程と、
前記読み取りデータの正当性を示す承認指示を行う操作工程と、
前記操作工程で承認指示がなされると前記特定有価証券を収納する収納工程と
を含んだことを特徴とする特定有価証券入金方法。
【発明の詳細な説明】
【技術分野】
【０００１】
本発明は、金融機関等において特定有価証券の入金処理に使用される特定有価証券入金機および特定有価証券入金方法に関する。
【背景技術】
【０００２】
従来、銀行等の金融機関では、店内の現金の入出金を管理する現金処理機として出納機が設けられており、窓口担当者は出納機を用いて窓口の入出金機へ現金を回す回出金を行ったり、窓口の入出金機から回収してくる回入金を行ったりしている。また、渉外員は渉外先へ持ち出す出金処理や、渉外先から持ち帰った現金等の入金処理を行っている。
【０００３】
ところで、このような現金処理機では、現金を現金処理機に投入することにより現金の入金処理は行うことができるが、小切手や手形等の有価証券の入金処理は現金処理機により行うことができない。このため、このような有価証券については窓口で受け付けた後に、係員が入金データを取りまとめてキー入力することにより入金処理を行い、有価証券の現品は手作業で分類処理を行うか、集中センター等において仕分け機で仕分けして管理していた。
【０００４】
一方、このような小切手や手形等の有価証券のデータの入力に関しては、小切手や手形に印刷された情報を人手によらず自動で読み取って個別に保持する技術が開示されている（たとえば特許文献１参照）。
【先行技術文献】
【特許文献】
【０００５】
【特許文献１】特開２００２−３６６７７２号公報
【発明の概要】
【発明が解決しようとする課題】
【０００６】
しかしながら、従来の係員が入金データを取りまとめてキー入力する方法では、係員の計数ミスにより照合に時間がかかったり、入金処理と仕分け処理が異なる時間、場所で行われるため係員の作業が繁雑になるという問題がある。したがって、小切手や手形等の有価証券についても入金処理を行う際に現品を一緒に処理できることが非常に効率的であり望ましいが、このような処理を実現させる技術は未だ開発されていないのが現状である。
【０００７】
また、上記の特許文献１に記載された技術では、小切手や手形に印刷されたデータを人手によらず自動で読み取って個別に保持することはできるが、データの読み取り、保持にとどまり、このデータを入金処理に用いることはできない。
【０００８】
この発明は、上記問題点に鑑みてなされたものであり、小切手や手形等の特定有価証券についてのデータを個別管理するとともに該データを用いて効率良く且つ確実に入金処理と現品処理とを行うことが可能な特定有価証券入金機および特定有価証券入金方法を提供することを目的とする。
【課題を解決するための手段】
【０００９】
上述した課題を解決し、目的を達成するために、本発明は、特定有価証券の入金処理を行い、該特定有価証券を収納する特定有価証券入金機であって、前記特定有価証券を機内に取り込む取り込み手段と、前記機内に取り込んだ特定有価証券に記載されたデータを読み取って読み取りデータを生成する読み取り手段と、前記読み取り手段で読み取った読み取りデータであるイメージ画像を格納する格納手段と、前記格納手段に格納するイメージ画像を表示する表示手段と、前記読み取りデータの正当性を示す承認指示を行う操作手段と、前記操作手段で承認指示がなされると前記特定有価証券を収納する収納手段とを備えることを特徴とする。
【００１０】
また、本発明は、上記発明において、前記イメージ画像を認識して認識データを生成する認識手段をさらに備え、前記認識データを前記表示手段に表示することを特徴とする。
【００１１】
また、本発明は、上記発明において、前記表示手段は、前記イメージ画像と前記認識データとを表示することを特徴とする。
【００１２】
また、本発明は、上記発明において、前記操作手段により承認指示がなされた場合に、前記読み取りデータに基づいて入金処理データを生成する入金処理データ生成手段をさらに備え、前記格納手段は、前記特定有価証券である小切手に関するデータを格納するデータファイルと前記特定有価証券である手形に関するデータを格納するデータファイルとを有し、前記データファイルは、前記認識データと前記イメージ画像と前記入金処理データとを対応させて格納していることを特徴とする。
【００１３】
また、本発明は、上記発明において、前記手形に関する入金処理データは、所定の形式で集計され、出票可能な状態又は外部機器へ送信可能な状態で前記手形に関するデータを前記データファイルに格納することを特徴とする。
【００１４】
また、本発明は、上記発明において、前記小切手の入金処理データは、前記特定有価証券入金機で入金処理を行った小切手が機内に収納されているか、機外で管理されているかの情報を含むことを特徴とする。
また、本発明は、特定有価証券の入金処理を行い、該特定有価証券を収納する特定有価証券入金機における特定有価証券入金方法であって、前記特定有価証券を機内に取り込む取り込み工程と、前記機内に取り込んだ特定有価証券に記載されたデータを読み取って読み取りデータを生成する読み取り工程と、前記読み取り工程で読み取った読み取りデータであるイメージ画像を記憶部に格納する格納工程と、前記格納工程により記憶部に格納されたイメージ画像を表示する表示工程と、前記読み取りデータの正当性を示す承認指示を行う操作工程と、前記操作工程で承認指示がなされると前記特定有価証券を収納する収納工程とを含んだことを特徴とする。
【発明の効果】
【００１５】
本発明によれば、特定有価証券を機内に取り込み、機内に取り込んだ特定有価証券に記載されたデータを読み取って読み取りデータを生成し、読み取りデータであるイメージ画像を記憶部に格納し、記憶部に格納されたイメージ画像を表示し、読み取りデータの正当性を示す承認指示を行い、承認指示がなされると特定有価証券を収納するよう構成したので、手形、小切手等の特定有価証券を特定有価証券入金機内に取り込んで入金処理を行うとともに、入金処理を行った特定有価証券を収納し、管理することが可能である。これにより、手入力による入金処理が不要であるためミスのない確実な入金処理が可能であり、また手作業による特定有価証券の分類処理が不要となり、作業者の行う作業を低減することができる。
【図面の簡単な説明】
【００２３】
【図１−１】図１−１は、本実施例にかかる特定有価証券入金機および該特定有価証券入金機が接続される現金処理機の外観構成例を示す斜視図である。
【図１−２】図１−２は、本実施例にかかる特定有価証券入金機の概略構成を説明する図である。
【図２】図２は、小切手のイメージ画像を示す図である。
【図３】図３は、一時保留部の一構成例を説明する断面図である。
【図４】図４は、第１の巻取りローラの周辺部を示す要部斜視図である。
【図５】図５は、第２の巻取りローラへの帳票の収納を説明するための要部斜視図である。
【図６】図６は、一時保留部の一構成例を説明する断面図である。
【図７】図７は、持ち出しリストの一例を示す図である。
【図８】図８は、本実施例にかかる現金処理機が備える構成部を説明する機能ブロック図である。
【図９】図９は、特定有価証券入金機の処理手順を示すフローチャートである。
【図１０】図１０は、特定有価証券入金機で入金処理中の表示部の表示画面を示した図である。
【図１１】図１１は、特定有価証券入金機で入金処理中の表示部の表示画面を示した図である。
【図１２】図１２は、特定有価証券入金機で入金処理中の表示部の表示画面を示した図である。
【図１３】図１３は、特定有価証券入金機で入金処理中の表示部の表示画面を示した図である。
【図１４】図１４は、特定有価証券入金機の処理手順を示すフローチャートである。
【図１５】図１５は、特定有価証券入金機の処理手順を示すフローチャートである。
【発明を実施するための形態】
【００２４】
以下に添付図面を参照して、本発明にかかる特定有価証券入金機および特定有価証券入金方法の好適な実施例を説明する。ここで、本発明において特定有価証券（以下、単に有価証券と称する）とは手形、小切手等の一般の有価証券を意味する。なお、本発明は以下の記述に限定されるものではなく、本発明の要旨を逸脱しない範囲において適宜変更可能である。
【実施例】
【００２５】
図１−１は、本実施例にかかる特定有価証券入金機１および該特定有価証券入金機１が接続される現金処理機２００の外観構成例を示す斜視図である。また、図１−２は、本実施例にかかる特定有価証券入金機１の概略構成を説明する図である。図１−１および図１−２に示すようにこの特定有価証券入金機１は、有価証券挿入口１１と繰り出しローラ１２とホッパ１３とを備える取り込み部１０と、搬送路２０と、読み取り・認識部３０と、一時保留部４０と、エンドーサ５０と、複数のスタッカ６０と、収納ローラ６１と、主制御部７０と、格納部８０と、修正部９０と、入金処理用データ生成部１００と、収納・排出選択部１１０と、リジェクト・排出部１２０と、排出ローラ１２１と、定形外収納部１３０と、表示部１４０と、操作部１５０と、通信部１６０と、データ処理部１７０とを備えている。
【００２６】
取り込み部１０には、有価証券挿入口１１から挿入された１枚または複数の有価証券がホッパ１３にセットされ、セットされた有価証券が繰り出しローラ１２により１枚ずつ繰り出されて特定有価証券入金機１内に取り込まれる。特定有価証券入金機１内に取り込まれた有価証券は、該特定有価証券入金機１内を搬送路２０により１枚ずつ搬送される。ここで、この特定有価証券入金機１が処理対象とする有価証券は、たとえば法人小切手のような通常の定型小切手、個人小切手やキャリアエンベロップ入り小切手などの特殊小切手、約束手形や為替手形などのような定型手形、補箋付き手形やキャリアエンベロップ入り手形やキャリアエンベロップ入り補箋付き手形やキャリアエンベロップ入り付箋付き手形などのような特殊手形などが挙げられる。
【００２７】
読み取り・認識部３０は、イメージスキャナなどの光学的文字読み取り手段を有し、入金処理対象となる有価証券の表面に記載された情報のイメージ画像を読み込んで装置内に取り込むための入力部として機能する。たとえば図２に示すように小切手１８０のイメージ画像を光学的に読み込んで読み取りデータとしてイメージ画像データを生成する。そして、読み取り・認識部３０は、読み込んだイメージ画像データを格納部８０に出力する。ここで読み取り・認識部３０は、帳票の表面と裏面の両面に情報が記載されている場合には、両面のイメージ画像を読み込んで格納部８０に出力する。
【００２８】
また、読み取り・認識部３０は、例えばＯＣＲ（Optical Character Reader）などのような文字認識手段を有し、読み込んだ有価証券のイメージ画像データから文字を識別し文書に変換して認識する認識手段として機能する。読み取り・認識部３０は、読み取りデータであるイメージ画像データからＯＣＲにより文字認識し、認識データを生成し、該認識データを格納部８０に出力する。また、添票を有するひとまとまりの複数の手形を処理する場合には、該添票は手形と同様に特定有価証券入金機１内に取り込まれ、読み取り・認識部３０において読み取りデータとしてイメージ画像データが生成されるが、認識データの生成は行われない。上述では、説明の便宜上読み取り・認識部３０に文字認識手段を有している場合を説明したが、通常は光学的文字読み取り機能と文字認識機能とをそれぞれ別個の機能部として備えた構成とされる。
【００２９】
一時保留部４０は、読み取り・認識部３０において認識データを生成した有価証券をスタッカ６０収納するまで、またはリジェクト・排出部１２０に返却もしくは排出するまで一時的に保留する保留部である。たとえば、処理対象の有価証券が添票を有するひとまとまりの複数の手形である場合には、添票も他の手形と同様にスタッカ６０収納するまで、またはリジェクト・排出部１２０に返却もしくは排出するまで一時的に保留する。ここで、返却とは、入金処理が正常に行えない場合に、該当する有価証券を機外に戻すことである。また、排出とは、入金処理が正常に行える場合において定形外の特殊形状の有価証券や所望の有価証券を機外に戻すことである。
【００３０】
この一時保留部４０には、読み取り・認識部３０においてイメージ画像データを生成した時点で先に一時保留部４０に有価証券を保留し、その後に認識データの生成を行うことができる。これにより、大量の有価証券を取り込み、認識データの生成に時間を要する場合であっても、イメージ画像データを生成した時点で次の有価証券を取り込んで連続した処理が可能となり、効率的に入金処理を行うことができる。また、一時保留部４０に有価証券を保留しておくことにより、生成した認識データの確認、修正を一括して行うことができる。
【００３１】
ここで、有価証券を一時的に保留する一時保留部４０について説明する。図３に一時保留部４０の一構成例を説明する断面図を示す。ここでは、一時保留部４０をカセット構造とした場合の例を示している。このカセット３０１は箱形に形成され、一側面の上方位置に有価証券Ｐを長手方向として出入り可能とする横長スリット状の有価証券出入口３０２が開口されている。また、この構成例では２本のテープＴＡ、ＴＢ（以下、２本のテープを総称してテープＴと呼ぶ場合がある）を使用し、該テープＴＡとテープＴＢとの間に有価証券Ｐを長手方向に挟んで収納するように構成した場合を示している。テープＴには、たとえば一軸延伸テープが用いられる。また、テープＴの表面は、シリコン等のコーティングが施されて粘着物付着によるジャミングの発生が防止されていることが好ましい。
【００３２】
図３に示すように有価証券出入口３０２の内部直近位置には、テープＴＡ、ＴＢが経由するローラ３０３Ａ、３０３Ｂが上下に対向して設けられている。また、この上側に設けられたローラ３０３Ａの奥側および下側に設けられたローラ３０３Ｂの下方側には、たとえば図４に示すようにテープ用のガイドフランジが設けられたリール状を呈する第１の巻取りローラ３０４Ａおよび第１の巻取りローラ３０４Ｂがそれぞれ第１の巻取り軸３０５Ａ、第１の巻取り軸３０５Ｂにテンション付加用トルクリミッタ３０６Ａ、テンション付加用トルクリミッタ３０６Ｂを介して取付けられている。また、第１の巻取りローラ３０４Ａおよび第１の巻取りローラ３０４Ｂの近傍には、アイドラ３０９Ａ、３０９Ｂが配置されている。
【００３３】
上記第１の巻取りローラ３０４Ａ、３０４Ｂの間の略中央位置には、有価証券幅と同等またはそれ以上の長さの軸長を有する第２の巻取りローラ３０７が第２の巻取り軸３０８に支持されている。図５は、第２の巻取りローラ３０７への有価証券Ｐの収納を説明するための要部斜視図である。この第２の巻取りローラ３０７に巻かれたテープＴＡ、ＴＢは、前記のローラ３０３Ａ、３０３Ｂ、アイドラ３０９Ａ、３０９Ｂを経由して第１の巻取りローラ３０４Ａ、３０４Ｂにそれぞれ導かれる。
【００３４】
なお、図５においてはテープＴＡおよびテープＴＢのテープ幅が有価証券幅の略１／３程度に示されているが、このテープ幅は特に限定されるものではなく、有価証券を確実にテープＴＡおよびテープＴＢにより挟み込んで収納および繰り出しができる幅であれば適宜設定可能である。なお、有価証券に印紙等が貼付されることを考慮した場合には、テープＴＡおよびテープＴＢのテープ幅は、印紙等が貼付される部分をテープＴＡおよびテープＴＢで覆うことができる幅とすることが好ましい。テープＴＡおよびテープＴＢのテープ幅をこのような幅とすることにより、印紙等の剥がれ等を防止して有価証券の収納および繰り出しを行うことができる。
【００３５】
図３および図５に示すように第２の巻取りローラ３０７の外周には、有価証券Ｐの有無を検知するためのセンサＳ1が第２の巻取りローラ３０７の外周面から所定の距離を隔てて配置されている。これにより、１枚の有価証券Ｐが第２の巻取りローラ３０７に巻付いていてもこれを検知することができるようになっている。
【００３６】
そのほかカセット３０１内には、図３に示すようにローラ３０３Ａ、３０３Ｂと第２の巻取りローラ３０７との間にテープＴを挟んで設けられた一対の有価証券検知用センサＳ2、ローラ３０３Ａとアイドラ３０９Ａとの間にテープＴを挟んで設けられたテープＴの両終端検知用センサＳ3が配置されている。
【００３７】
また、カセット３０１の有価証券出入口３０２の外部には、有価証券出入口３０２への有価証券Ｐの繰込みまたは取出しのための搬送装置３１０が配設されている。この搬送装置３１０は、たとえば上下一対のベルトまたはローラ列により構成することができる。
【００３８】
このように構成された一時保留部４０内に有価証券を納入する場合は、図３に示すように図示しない駆動系により第２の巻取り軸３０８を同図において時計方向（矢印方向）に回動させる。これにより第２の巻取りローラ３０７は時計方向（矢印方向）に回動し、テープＴが該第２の巻取りローラ３０７に巻き取られる。このとき第２の巻取り軸３０８の回転速度はテープＴＡ、ＴＢの巻取り速度Ｖ1 が搬送装置３１０の搬送速度Ｖ2 より大きくなるように設定され、有価証券Ｐを引き込むよう作用することにより、帳票のジャムが防止される。
【００３９】
また、第２の巻取りローラ３０７によりテープＴＡ、ＴＢを巻取る際、第１の巻取りローラ３０４Ａ、３０４ＢはテープＴの引張り作用により反時計方向に回転しようとするが、第１の巻取りローラ軸３０５Ａ、３０５Ｂが反時計方向には回転しないのでテープＴＡ、ＴＢにテンションが発生する。そして、このテンションが所定以上になるとトルクリミッタ３０６Ａ、３０６Ｂに所定以上のトルクがかかり、第１の巻取りローラ３０４Ａ、３０４Ｂが反時計方向（矢印方向）に回転するようになる。その結果、テープＴＡ、ＴＢには常にトルクリミッタの設定トルクに応じたテンションが付与されることになる。
【００４０】
このようにして、収納すべき有価証券Ｐの収納が終了すると駆動系が停止される。また、このとき、収納された有価証券Ｐの枚数は有価証券検知用センサＳ2 によってカウントされる。そして、有価証券Ｐの収納指令がある毎に上記作用を繰り返して有価証券Ｐを収納していくが、有価証券Ｐの収納が進んで所定量を収納すると、テープＴの終端がセンサＳ3 により検知され、それ以上の受収を停止する。これによりテープＴの破損等を防止して、確実に帳票を収納することができる。
【００４１】
有価証券Ｐを排出する場合は、図示しない駆動系により図６に示すように第２の巻取り軸３０８が同図において反時計方向（矢印方向）に回動し、第２の巻取りローラ３０７を反時計方向（矢印方向）に回転させてテープＴＡ、ＴＢを巻戻していく。また、このとき、第１の巻取り軸３０５Ａ、３０５ＢにはこのテープＴＡ、ＴＢが巻き戻される速度よりも速い巻き取り速度の動力が駆動系から与えられる。これにより、テープＴＡ、ＴＢの巻戻される速度よりも速い速度で第１の巻取りローラ３０４Ａ、３０４ＢがテープＴＡ、ＴＢを巻取ろうとするので、テープＴＡ、ＴＢはたるむことがなくテープＴＡ、ＴＢにテンションが生じる。そして、そのテンションが所定以上になるとトルクリミッタ３０６Ａ、３０６Ｂに所定以上のトルクがかかり、滑りを生じることになる。その結果、テープＴＡ、ＴＢには常にトルクリミッタ３０６Ａ、３０６Ｂの設定トルクに応じたテンションが付与されることになる。
【００４２】
このようにして、テープＴＡ、ＴＢが第２の巻取りローラ３０７から巻戻されていくのにつれてテープＴＡ、ＴＢ間の有価証券Ｐは有価証券出入口３０２から投出され、搬送装置３１０へ受け渡される。そして、排出されるべき枚数の有価証券Ｐが有価証券検知用センサＳ2 で検知されると駆動系が停止され、有価証券の一時保留部からの排出が終了する。そして、有価証券Ｐの排出指令がある毎に上記動作を繰り返して有価証券Ｐを排出していくが、有価証券Ｐがすべて排出されてしまうと、センサＳ1 が「有価証券未収納状態」を検出して、第２の巻取りローラ３０７に収納されている有価証券が無くなったことを制御装置側へ知らせる。この有価証券の排出時にはテープＴの速度Ｖ1 と搬送装置３１０の搬送速度Ｖ2 の関係はＶ1 ＜Ｖ2 とされ、Ｖ2 の方が所定量だけ大きくされており、帳票のジャムを防止しながら有価証券Ｐを引き抜くように作用する。
【００４３】
上記のようなテープを用いた一時保留部４０を用いることにより、有価証券の収納処理と、収納した有価証券の排出処理とを１つの機構で行うことができ、低コストかを図ることができる。また、有価証券を２本のテープに挟んだ状態で収納し、排出するため、複数の有価証券を１度に排出してしまうことを防止することができる。
【００４４】
図１の説明に戻って、エンドーサ５０は、一時保留部４０の直近の搬送路２０に設けられる。エンドーサ５０は、一時保留部４０から排出される有価証券であって、後述するように認識データが承認されてスタッカ６０に収納される有価証券、または認識データが承認されてリジェクト・排出部１２０に排出される有価証券に管理通番や日付等を印刷する。この管理通番は、後述する承認データである入金処理用データと有価証券とを対応付けて付与される管理番号であり、この管理通番を用いることにより、有価証券から該当する入金処理用データを特定することができ、また、入金処理用データから該当する有価証券を特定することができる。
【００４５】
スタッカ６０は、一時保留部４０に一時的に保留し、認識データが承認された有価証券を収納する収納手段である。有価証券は一時保留部４０から搬送路２０により搬送され、搬送路２０のスタッカ６０側の終端に設けられた収納ローラ６１によりスタッカ６０に収納される。この特定有価証券入金機１においてはスタッカ６０として、スタッカ６０Ａ、スタッカ６０Ｂ、スタッカ６０Ｃの３つのスタッカを備えている。このように複数のスタッカ６０Ａ、６０Ｂ、６０Ｃを備えることにより、スタッカ毎に予め設定された所定の有価証券が仕分け収納される。なお、ここでは、３つのスタッカ６０Ａ、６０Ｂ、６０Ｃを備える場合について説明しているが、スタッカ６０の数はこれに限定されるものではなく、適宜変更可能である。
【００４６】
主制御部７０は、格納部８０に格納された各種プログラムに従って特定有価証券入金機１全体の処理動作を制御する。格納部８０は、読み取りデータである有価証券のイメージ画像データと、有価証券の認識データと、入金処理用データと、後述するデータ処理部１７０において所定の処理を施されたデータ類を格納するデータ格納手段である。また、格納部８０は、装置全体の処理に用いられる各種プログラム等を格納している。この特定有価証券入金機１においては、格納部８０に入金処理用データが格納され、有価証券のスタッカ６０への収納、またはリジェクト・排出部１２０への排出が終了することにより、特定有価証券入金機１における有価証券の入金処理が終了する。
【００４７】
ところで、小切手用のデータと手形用のデータでは、データの取り扱い方が異なる。そこで、格納部８０は、たとえば小切手に関するデータを格納する小切手データファイルと、手形に関するデータを格納する手形データファイルとを有し、小切手のデータと手形のデータとを個別に管理して格納している。すなわち、格納部８０は、小切手のイメージ画像データと認識データと入金処理用データとデータ処理部１７０において所定の処理を施されたデータ、リスト類を専用の小切手データファイルに格納している。また、格納部８０は、手形のイメージ画像データと認識データと入金処理用データとデータ処理部１７０において所定の処理を施されたデータ、リスト類を専用の手形データファイルに格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。なお、格納部８０の容量が少ない場合には、イメージ画像データは格納せずに、認識データと入金処理用データのみを格納するようにしても良い。
【００４８】
また、特に手形の入金処理用データは、データ処理部１７０において所定の形式で集計され、出票可能な状態、または外部機器へ送信可能な状態に、たとえばリストにまとめられて格納される。このような形態で保持される手形の入金処理用データは、添票、手形の現品が回収、持ち出しされ、たとえば集中センター等に搬送される際の出力データリストなどとして利用することができる。
【００４９】
図７に手形を集中センターや他の機関等に持ち出す際に出力される持ち出しリストの一例を示す。図７に示した持ち出しリストには、該リストの出力日、担当者、担当番号、特定有価証券入金機１の配置されている店番号および店名、有価証券の種類と処理枚数と金額を集計した集計表、およびその明細表が印刷されている。また、明細表は、有価証券入金機１においてデータ読み込み、認識、および格納した各手形の詳細な情報が記載されている。たとえば、図７に示した明細表には、通番、手形／小切手番号、金融機関、店番、口座番号、金額、帳票種類、スタッカ、持出日時、業務区分などの情報が記載されている。
【００５０】
ここで、通番は、処理の際に印字される管理通番である。手形／小切手番号は、手形の左上に印字されている番号であり、各手形／小切手に固有の番号である。金融機関は、手形／小切手により支払いがなされる金融機関の金融機関番号である。店番号は、手形／小切手により支払いがなされる金融機関の店毎に設定されている番号である。口座番号は、手形／小切手により支払いがなされる口座の番号、すなわち手形／小切手に記載された額面金額分が引き落とされる口座の番号である。金額は、手形／小切手により支払いがなされる金額である。上記の金融機関、店番号、口座番号、金額により、支払いがなされる口座と金額が特定される。スタッカは、手形／小切手が収納されている、または収納されていた（持出分）スタッカの番号情報である。持出日時は、有価証券入金機１から手形／小切手が持ち出された日時である。業務区分は、有価証券入金機１から取り出されてセンターへ持ち出される持ち出す業務（行為）がなされたか否か、つまり、有価証券入金機１内に手形／小切手があるか否かを示している。なお、図７に示した明細表には手形のみの情報が記載されているが、小切手データやその他のデータも含まれることもある。
【００５１】
また、格納部８０が小切手データファイルに格納し、現金処理機２００に送信する入金処理用データには、たとえば、特定有価証券入金機１における処理を担当した担当者の固有番号である担当者番号、入金処理を行う小切手の枚数や金額（小切手が自店のものであるか、または他店のものであるかの情報を含む）、小切手が特定有価証券入金機１内に収納されているか、特定有価証券入金機１外に管理されているかの情報、などの情報が含まれる。
【００５２】
手形の入金処理用データをこのようにして保持しておくことにより、手形に関する後処理において迅速な処理が可能となる。
【００５３】
修正部９０は、読み取り・認識部３０が認識して格納部８０に格納した有価証券の認識データを確認・修正する修正手段である。認識データの確認・修正を行う場合には、該当する有価証券のイメージ画像データと認識データとを表示部１４０に表示させ、これらを目視で比較することで認識データの正当性の確認を行い、認識の間違いがある場合には操作部１５０を用いて認識データの修正を行う。
【００５４】
また、処理対象の有価証券が添票を含む一取引分の複数の手形である場合には、修正部９０は、添票のデータと、添票を含む一取引分の複数の手形のデータを照合する。たとえば手形枚数と総金額とを照合する。
【００５５】
入金処理用データ生成部１００は、認識データの正当性を示す承認指示に基づいて承認して入金処理用データを生成する入金処理用データ生成手段である。ここで、承認指示はたとえば後述するように「ＯＣＲ結果確認」の画面において「確認完了」のボタンの選択によりなされる指示が挙げられる。収納・排出選択部１１０は、機内に取り込んだ有価証券を収納手段に収納する収納モードまたは機内に取り込んだ有価証券をリジェクト・排出部１２０に外部排出する排出モードをたとえば入力ボタンなどの操作部１５０での入力による情報に基づいて選択する選択手段である。
【００５６】
リジェクト・排出部１２０には、入金処理が正常に行えない場合に該当する有価証券が返却され、また、入金処理が正常に行える場合において定形外の特殊形状の有価証券や所望の有価証券が排出される。有価証券は搬送路２０によりリジェクト・排出部１２０に搬送されるが、搬送路２０のリジェクト・排出部１２０側の終端には排出ローラ１２１が設けられており、該排出ローラ１２１によりリジェクト・排出部１２０に投出される。
【００５７】
定形外収納部１３０には、リジェクト・排出部１２０に排出され、入金処理が正常に終了した定形外の特殊形状の有価証券が収納される。この特定有価証券入金機１においては、リジェクト・排出部１２０に排出された定形外の有価証券を作業者が定形外収納部１３０に投入する構成とされているが、搬送路２０を定形外収納部１３０に接続して該定形外収納部１３０に収納する有価証券を自動搬送して収納する構成とすることも可能である。
【００５８】
表示部１４０は、特定有価証券入金機１の処理における操作画面や、読み取りデータ、認識データ、承認データなどのデータ類などを表示する。操作部１５０は、特定有価証券入金機１の操作において作業者が各種情報等を入力する入力手段であり、該操作部１５０としてキーボードを備えるが、この他にも表示部１４０に備えられたタッチパネル機能など用いることができる。通信部１６０は、外部機器との間の指示情報、データ情報などの各種情報の送受信を行う。
【００５９】
データ処理部１７０は、上述したような各種データの管理、外部出力用データの生成、リストの作成等の処理を行う。たとえば上述したような手形の入金処理用データの持ち出しリストなどもデータ処理部１７０において作成される。また、外部出力用データとしては個々の外部出力用データを集計した外部出力用集計データなども含まれる。これらの外部出力用データやリスト等は、たとえば手形現品を持ち出し先センター等に搬送する際に出票して手形現品に添付することにより、手形現品の管理用リストや確認用リストとして用いることができる。これにより、持ち出し業務のための専用の情報リスト等を作成する手間を省略することができる。また、手形現品を持ち出し先センター等に搬送する際に、外部出力用データをそのままたとえば持ち出し先センターなどの外部機器に送出することにより、該外部機器において出票して手形現品の管理用リストや確認用リストとして用いることができる。これにより、持ち出し業務のための専用の情報リストを作成する手間を省略することができ、作業時間の短縮を図ることができる。また、外部出力用データを外部機器において電子データとして保持し、該データの加工やデータ管理に用いることも可能である。
【００６０】
また、現金処理機２００は、結束された１００枚単位毎の束紙幣を処理する束紙幣処理部２１０および１枚ずつのバラ紙幣を処理するバラ紙幣処理部２２０で成る紙幣処理機２３０と、５０枚単位に包装された包装硬貨を出金処理する包装硬貨出金機２４０と、バラ硬貨を処理するバラ硬貨処理機２５０とを備えて構成されている。束紙幣処理部２１０には、束紙幣を出金するための束紙幣出金口２１１、束紙幣を機外へ放出さるための機外放出口２１２が設けられている。また、バラ紙幣処理部２２０にはバラ紙幣を入金するための入金口２２１、バラ紙幣を出金するための出金口２２２が設けられ、紙幣処理機２３０
の上部には出金口２３２を有する新券出金機２３１が設置されている。
【００６１】
包装硬貨出金機２４０の上部には伝票や通帳等の印字を行うプリンタ２４１が設けられ、包装硬貨を出金する包装硬貨出金口２４２が設けられている。また、バラ硬貨処理機２５０の上部にはバラ硬貨を受入れる硬貨入金口２５１が設けられると共に、オペレータに案内やデータ等を表示する表示部２５２、ＩＤカードを挿入して処理するカードリーダ２５３が設けられている。バラ硬貨処理機２５０の前面には、バラ硬貨を返却するための返却口２５５が設けられている。更に、包装硬貨出金機２４０およびバラ硬貨処理機２５０の上部には、作業者が操作する操作部としてのキーボード２５４が設けられている。
【００６２】
また、現金処理機２００には、図８の機能ブロック図に示すように指示情報処理部２６１と、現金計数部２６２と、入金データ生成部２６３と、照合部２６４と、通信部２６５と、格納部２６６と、主制御部２６７とを備えている。指示情報処理部２６１は、特定有価証券入金機１に対して有価証券入金処理用データの転送指示情報と有価証券入金処理用データの格納指示情報と、有価証券入金処理用データの確認指示情報とを生成して特定有価証券入金機１に送信する。現金計数部２６２は、自機に投入された現金の現金計数を行って現金処理データを生成する。入金データ生成部２６３は、現金処理データと有価証券入金処理用データとを合算して入金データを生成する。照合部２６４は、入金データと入金伝票に記載された入金総額データとの照合を行う。通信部２６５は、特定有価証券入金機１との間でデータおよび情報の送受信を行う。格納部２６６は、入金伝票に記載された現金と有価証券との入金総額データおよび現金処理データと特定有価証券入金機１から転送された有価証券入金処理用データ並びに装置全体の処理に用いられる各種プログラム等を格納するデータ格納手段である。主制御部２６７は、格納部に格納された各種プログラムに従って現金処理機２００全体の処理動作を制御する。
【００６３】
このように構成された現金処理機２００は、自機に投入された現金の計数を行って該現金の入金データである現金処理データを生成するとともに、特定有価証券入金機１から有価証券入金処理用データを受け取り、現金処理データと有価証券入金処理用データとを用いて現金と有価証券とを合算した入金処理を行う。また、現金処理データと有価証券入金処理用データとを合算する入金処理だけではなく、有価証券入金処理用データのみでの入金処理も行うことができる。
【００６４】
つぎに、以上のように構成された本実施例にかかる特定有価証券入金機１の動作について、小切手、手形の入金処理を行う場合について説明する。まず、小切手として定型小切手の入金処理について説明する。図９は特定有価証券入金機１の処理手順を示すフローチャートである。また、図１０〜図１３は特定有価証券入金機１で入金処理中の表示部１４０の表示画面を示した図である。
【００６５】
まず、作業者は、特定有価証券入金機１の電源を投入する。電源を投入すると、表示部１４０にはたとえば図１０に示すような「メインメニュー」の画面が表示される。作業者は、操作部１５０のキーボードを用いて表示画面の「１．小切手入金」のボタンを選択する。「１．小切手入金」のボタンを選択すると、表示部１４０の画面には図１１に示すような「モード選択」の画面が表示される。
【００６６】
つぎに、作業者は、入金処理対象である有価証券として複数の定型小切手を有価証券挿入口１１から挿入してホッパ１３にセットする。そして、作業者は、操作部１５０のキーボードを用いて、図１１に示す「モード選択」の画面において、「１．連続スキャン（収納）」のボタンを選択する。ここで、「１．連続スキャン（収納）」とは有価証券を連続的に機内に取り込み、データの読み込み、認識を行い、最後に有価証券をスタッカ６０に収納するモードである。この「１．連続スキャン（収納）」モードを選択することにより、１枚ずつの入金処理ではなく、複数枚の定型小切手の入金処理を連続して行うことができ、効率的に入金処理を行うことができる。また、「２．１枚スキャン（外部排出）」とは有価証券を１枚のみ機内に取り込み、データの読み込み、認識を行い、有価証券をリジェクト・排出部１２０に収納するモードである。この「２．１枚スキャン（外部排出）」モードを選択することにより、利用頻度の低い特殊小切手である個人小切手についてもイメージ画像データの読み込み、認識を行ってこの特定有価証券入金機１において入金処理を行うことができ、効率的に入金処理を行うことができる。ここでは、上述したように小切手の入金処理を連続して行うので、まず、「１．連続スキャン（収納）」のボタンを選択すると、繰り出しローラ１２が動作してホッパ１３にセットした定型小切手を１枚ずつ特定有価証券入金機１に取り込み始める（ステップＳ１０１）。
【００６７】
特定有価証券入金機１内に取り込まれた定型小切手は、搬送路２０に沿って搬送され、読み取り・認識部３０であるイメージスキャナに搬送される。定型小切手が読み取り・認識部３０に搬送されると、読み取り・認識部３０（イメージスキャナ）は定型小切手の表面に記載された情報のイメージ画像データの読み込みを開始し、読み込んだイメージ画像データを格納部８０に出力する。格納部８０では、読み込んだイメージ画像データを格納する。ここで、格納部８０は、読み込んだ小切手のイメージ画像データを、小切手に関するデータを格納する小切手データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。
【００６８】
つぎに、格納部８０に定型小切手のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ１０２）。ここで、格納部８０は、読み込んだ小切手の認識データを、小切手に関するデータを格納する小切手データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。
【００６９】
そして、認識データの格納が終了した定型小切手は一時保留部４０に搬送され、収納、保留される（ステップＳ１０３）。また、定型小切手を一時保留部４０に収納すると同時に、ホッパ１３にセットされた次の定型小切手の機内への取り込みを行い、全ての定型小切手を機内に取り込んで一時保留部４０に保留するまで上記のステップＳ１０１〜ステップＳ１０３を繰り返す。なお、図９および上記の説明においては、説明の便宜上ステップＳ１０１〜ステップＳ１０３をステップ毎に分けて模式的に説明しているが、実際にはステップＳ１０１〜ステップＳ１０３は連続的に処理がなされる。
【００７０】
ホッパ１３にセットされた定型小切手が全て機内に取り込まれた後に、図１１に示す「モード選択」の画面において「３．ＯＣＲ結果確認」のボタンを選択する。「３．ＯＣＲ結果確認」のボタンを選択すると、図１２に示すように「ＯＣＲ結果確認」の画面のイメージ画像データ欄１２０−１と認識データ欄１２０−２とに、一時保留部４０に保留している定型小切手のイメージ画像データと認識データとを表示する。
【００７１】
係員は、この画面において認識データの正当性の確認・修正を行う。認識データの確認は、図１２に示すように「ＯＣＲ結果確認」の画面でイメージ画像データ欄１２０−１と認識データ欄１２０−２との表示を目視で比較することで行う。認識データの正当性を確認した結果、認識データの間違いが認められた場合または認識されていない項目がある場合には、認識データ欄１２０−２の修正したい項目を選択して修正データを入力する。修正部９０は、この入力に基づいて認識データの修正を行う。その後、認識データの承認指示である「確認完了」のボタンを選択し、「登録」のボタンを選択する。入金処理用データ生成部１００ではこの認識データの正当性を示す承認指示に基づいて、修正された認識データを承認し、該承認された認識データは小切手入金処理用データとして生成される。これにより、入金する有価証券の明細が確定する（ステップＳ１０４）。なお、「確認完了」のボタンと「登録」のボタンとを１つのボタンとして設けても良い。そして、「確認完了」のボタンを選択して明細が確定すると、図１３に示すような連動入金モードとローカル入金モードとの選択を指示する「収納処理選択」の画面が表示される。ここでは連動入金モードを選択するので、画面の指示に従って現金処理機２００に移動して操作を続ける。また、「収納処理選択」の画面において連続入金モードを選択するための「連続入金」という選択ボタンを設けても良い。
【００７２】
なお、連動入金モードとは、特定有価証券入金機１において特定有価証券入金処理用データの生成の後、現金処理機２００において該特定有価証券入金処理用データと現金処理データと合算入金し、さらに該特定有価証券入金処理用データの格納および特定有価証券の収納を行うモードである。すなわち、連動入金モードは、特定有価証券入金機１における特定有価証券の取り込みから現金処理機２００における現金処理データとの合算入金、さらに特定有価証券入金処理用データの格納および特定有価証券の収納を連続処理で行うモードである。また、連動入金モードにおいては、現金処理データと有価証券入金処理用データとを合算する入金処理だけではなく、有価証券入金処理用データのみでの入金処理も連続処理で行うことができる。
【００７３】
一方、ローカル入金モードとは、特定有価証券入金機１において特定有価証券入金処理用データの生成の後、現金処理機２００において該特定有価証券入金処理用データと現金処理データと合算入金を行わずに該特定有価証券入金処理用データの格納および特定有価証券の収納を行って特定有価証券入金機１における処理を一旦終了し、その後に現金処理機２００において合算入金を行う入金モードである。すなわち、ローカル入金モードは、第１のステップで特定有価証券入金機１内での入金処理のみを終了させ、任意の時間の経過後に第２のステップとして現金処理機２００における現金処理データと合算入金を行うモードである。したがって、連動入金モードとローカル入金モードとは、特定有価証券入金処理用データの格納のタイミングが異なる。
【００７４】
また、イメージ画像データ欄１２０−１と認識データ欄１２０−２との表示を比較して認識データの正当性を確認した結果、認識データの正当性が確認された場合、すなわちＯＣＲによる認識が正常に行われている場合には、認識データの修正は行わずに認識データの承認指示である「確認完了」のボタンを選択し、「登録」のボタンを選択する。入金処理用データ生成部１００ではこの承認指示に基づいて、ＯＣＲにより認識された認識データを承認し、該承認された認識データから小切手入金処理用データが生成される。これにより、入金する有価証券の明細が確定する（ステップＳ１０４）。なお、「確認完了」のボタンと「登録」のボタンとを１つのボタンとして設けても良い。そして、「確認完了」のボタンを選択して明細が確定すると、上記の場合と同様に図１３に示すような「収納処理選択」の画面が表示される。ここでは連動入金モードを選択するので、画面の指示に従って現金処理機２００に移動して操作を続ける。
【００７５】
連動入金モードにより処理を続行する場合には、つぎに現金処理機２００側の処理に移る。係員は現金処理機２００側に移動し、カードリーダ２５３にＩＤカードを挿入して認証を得た後（ステップＳ２０１）、入金伝票に記載された現金と有価証券との入金総額データをキーボード２５４を用いて入力する。これにより、入金伝票に記載された現金と有価証券との入金総額データが現金処理機２００に取り込まれる（ステップＳ２０２）。現金処理機２００では、入金伝票の入金総額データが入力されると、指示情報処理部２６１において小切手入金処理用データの転送指示情報を生成し、通信部２６５を介して該転送指示情報を特定有価証券入金機１に送信する（ステップＳ２０３）。また、係員は現金処理機２００に入金する現金を投入し、現金処理機２００では現金計数部２６２において現金計数を行って現金処理データを生成する（ステップＳ２０４）。
【００７６】
特定有価証券入金機１側の処理に戻ると、特定有価証券入金機１では小切手入金処理用データの転送指示情報を受信し、該転送指示情報に従って小切手入金処理用データを現金処理機２００に転送してデータ計上を行う（ステップＳ１０５）。ここで、この特定有価証券入金機１においては、小切手入金処理用データの転送指示情報の受信が連動入金モードの選択処理とされており、該転送指示情報が受信されると特定有価証券入金機１は入金モード選択部１７０において連動入金モードを選択して処理を継続する。
【００７７】
現金処理機２００では、特定有価証券入金機１から転送された小切手入金処理用データを受信すると、入金データ生成部２６３において現金処理データと小切手入金処理用データとを合算して入金データを生成し、照合部２６４において該入金データと入金伝票の入金総額データとの照合を行い、一致するか否かを判断する（ステップＳ２０５）。ここで、入金データと入金伝票の入金総額データとが一致する場合は（ステップＳ２０５肯定）、指示情報処理部２６１において小切手入金処理用データの格納指示情報を生成して通信部２６５を介して特定有価証券入金機１に送信する（ステップＳ２０６）。
【００７８】
特定有価証券入金機１では、現金処理機２００から送信された小切手入金処理用データの格納指示情報を受信して、該格納指示情報に従って小切手入金処理用データを格納部８０に格納し（ステップＳ１０６）、さらに一時保留部４０に保留した定型小切手にエンドーサ５０で管理通番、日付等を印字して指定された所定のスタッカ６０に収納する（ステップＳ１０７）。ここで、格納部８０は、小切手入金処理用データを、小切手に関するデータを格納する小切手データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。
【００７９】
以上のように、格納部８０への小切手入金処理用データの格納、および一時保留部４０に保留した定型小切手のスタッカ６０への収納が終了することにより、特定有価証券入金機１における定型小切手の入金処理が終了する。
【００８０】
また、現金処理機２００では、入金データを格納部２６６に格納することにより現金処理機２００における現金と定型小切手との合算入金処理が終了する（ステップＳ２０７）。このように、特定有価証券入金機１から小切手入金処理用データを現金処理機２００に送出することで、特定有価証券入金機１において小切手の現品を管理するとともに、現金処理機２００において速やかに且つ確実に小切手の入金処理を行うことができる。なお、格納部２６６に格納された入金データは、たとえば図示しない勘定系形端末に送信される。
【００８１】
ここで、定型小切手を収納するスタッカ６０においては、複数のスタッカ６０のそれぞれを個別の小切手収納用に指定することができる。たとえば銀行においてこの特定有価証券入金機１により定型小切手の入金処理を行う場合には、スタッカ６０Ａを交換課行きの小切手収納用スタッカ、スタッカ６０Ｂを集中課行きの小切手収納スタッカ、スタッカ６０Ｃを自店保留の小切手収納用スタッカ、と３種類に分けて指定することができる。ここで、交換課行きの小切手収納用スタッカ（スタッカ６０Ａ）は、通常の小切手を収納するスタッカである。また、集中課行きの小切手収納用スタッカ（スタッカ６０Ｂ）は、先日付小切手を収納するスタッカポケットである。そして、自店保留の小切手収納用スタッカ（スタッカ６０Ｃ）は、上記の交換課行きの小切手収納用スタッカ（スタッカ６０Ａ）および集中課行きの小切手収納用スタッカ（スタッカ６０Ｂ）に収納しない全ての小切手を収納するスタッカである。このように、複数のスタッカ６０のそれぞれを個別の小切手収納用に指定することにより、入金処理した小切手を自動分類して収納することが可能である。これにより、係員の手作業による小切手の分類処理が不要となり、係員の行う作業を低減することができる。また、特定有価証券入金機１内において入金処理とともに分類処理がなされるため、効率良く小切手の入金処理と分類処理を行うことが可能である。なお、図示していないが、上記のスタッカ６０の指定は表示部１４０や操作部１５０を利用して行うことができる。
【００８２】
また、この特定有価証券入金機１においては、取り込み部１０にセットした順番で定型小切手をスタッカ６０に収納することができる。取り込み部１０においてはセットされた定型小切手を、上部に位置する定型小切手から順に特定有価証券入金機１内に取り込み、一時保留部４０では、特定有価証券入金機１に取り込まれた順番で定型小切手を収納して一時保留し、収納した順番と逆の順番で定型小切手を排出する。そして、スタッカ６０では、一時保留部４０から排出された順番で定型小切手を収納する。このような処理形態を取ることにより、特定有価証券入金機１においては、取り込み部１０にセットした順番で定型小切手をスタッカ６０に収納することができる。また、このような処理形態を取ることにより、特定有価証券入金機１においては、取り込み部１０にセットした際の表裏方向で定型小切手をスタッカ６０に収納することができる。取り込み部１０においては、セットされた表裏方向で定型小切手を特定有価証券入金機１内取り込み、一時保留部４０では、特定有価証券入金機１に取り込み時とは逆の表裏方向で定型小切手を収納して一時保留し、収納した表裏方向で定型小切手を排出する。そして、スタッカ６０では、一時保留部４０からの排出時とは逆の表裏方向で定型小切手を収納する。したがって、この特定有価証券入金機１おいてはスタッカ６０に収納された定型小切手の順番および表裏方向が、取り込み部１０にセットした際と同一とされるため、順番の修正や表裏方向の修正といった後処理が不要である。
【００８３】
なお、取り込み部１０において定型小切手を上部から取り込むか下部から取り込むかという取り込み順序や一時保留部４０での収納順序、排出順序などは上記の組み合わせに限定されるものではない。したがって、スタッカ６０に収納された定型小切手の順番および表裏方向が取り込み部１０にセットした際と同一とされる組み合わせであれば適宜変更可能である。以上のような、特定有価証券入金機１の特徴は、定型小切手の入金処理に限定されるものではなく、手形等の他の有価証券を処理する場合も同様である。
【００８４】
一方ステップＳ２０５に戻って、照合の結果、入金データと入金伝票の入金総額データとが一致しない場合について図１４を用いて説明する。照合の結果、入金データと入金伝票の入金総額データとが一致しない場合は（ステップＳ２０５否定）、指示情報処理部２６１が小切手入金処理用データの確認指示情報を生成して通信部２６５を介して特定有価証券入金機１に送信する（ステップＳ２０８）。特定有価証券入金機１では小切手入金処理用データの確認指示情報を受信すると、表示部１４０に図１２の画面を表示し、係員に小切手入金処理用データの確認を要求する。係員は、ステップＳ１０４の場合と同様にして小切手入金処理用データが正しいか否か確認を行い（ステップＳ１０８）、小切手入金処理用データの修正が必要であるか否かを判断する（ステップＳ１０９）。
【００８５】
ここで、確認の結果、小切手入金処理用データが正しい場合は（ステップＳ１０９肯定）、小切手の枚数自体が足りない等の原因が考えられ、現状では入金伝票の入金総額データとの整合は取れないため、図１２の画面において「排出」のボタンを選択して一時保留部４０に保留した定型小切手をリジェクト・排出部１２０に返却し（ステップＳ１１０）、一連の入金処理が終了する。一方、確認の結果、小切手入金処理用データが正しくない場合は（ステップＳ１０９否定）、係員は、ステップＳ１０４の場合と同様にして小切手入金処理用データの修正を行い、修正した小切手入金処理用データを生成する（ステップＳ１１１）。そして、修正した小切手入金処理用データを現金処理機２００に再度、転送する（ステップＳ１１２）。
【００８６】
現金処理機２００は、修正した小切手入金処理用データを受信すると、入金データ生成部２６３において現金処理データと修正した小切手入金処理用データとを合算して入金データを再度生成し、照合部２６４において該入金データと入金伝票の入金総額データとの照合を行い、一致するか否かを判断する（ステップＳ２０９）。ここで、入金データと入金伝票の入金総額データとが一致する場合は（ステップＳ２０９肯定）、ステップＳ２０６に戻り処理が進む。一方、入金データと入金伝票の入金総額データとが一致しない場合は（ステップＳ２０９否定）、現金処理機２００は、指示情報処理部２６１において定型小切手の返却指示情報を生成し、通信部２６５を介して特定有価証券入金機１に送信する。特定有価証券入金機１は、返却指示を受信すると、一時保留部４０に保留した定型小切手をリジェクト・排出部１２０に返却し（ステップＳ１１３）、一連の入金処理が終了する。
【００８７】
上述したように、特定有価証券入金機１によれば、定型小切手の入金処理を行うとともに、入金処理した定型小切手を自動分類して収納し、管理することが可能である。したがって、ミスのない確実な入金処理が可能であり、作業者の手作業による定型小切手の分類処理が不要となり、作業者の行う作業を低減するとともに効率良く小切手の入金処理と分類収納処理を行うことが可能である。また、特定有価証券入金機１において小切手データファイルに個別に格納、管理している小切手入金処理用データを現金処理機２００に送出することで、特定有価証券入金機１において小切手の現品を管理するとともに、現金処理機２００において速やかに且つ確実に小切手の入金処理を行うことができる。したがって、効率良く且つ確実に入金処理と現品処理とを同時に行うことができる。
【００８８】
つぎに、定型の手形である約束手形の入金処理について説明する。図１５は特定有価証券入金機１の処理手順を示すフローチャートである。まず、作業者は、特定有価証券入金機１の電源を投入する。電源を投入すると、表示部１４０にはたとえば図１０に示すような「メインメニュー」の画面が表示される。作業者は、操作部１５０のキーボードを用いて表示画面の「手形回付」のボタンを選択する。「手形回付」のボタンを選択すると、表示部１４０の画面には図１１に示すような「モード選択」の画面が表示される。
【００８９】
つぎに、作業者は、入金処理対象である有価証券として添票が作成されて一取引分とされた複数の約束手形を有価証券挿入口１１から挿入してホッパ１３にセットする。このとき、添票を一番上にしてセットする。そして、作業者は、操作部１５０のキーボードを用いて、図１１に示す「モード選択」の画面において、「１．連続スキャン（収納）」のボタンを選択する。この「１．連続スキャン（収納）」モードを選択することにより、添票を含む一取引分の複数枚の約束手形の入金処理を連続して行い、収納することができ、効率的に入金処理を行うことができる。「１．連続スキャン（収納）」のボタンを選択すると、繰り出しローラ１２が動作してホッパ１３にセットした添票を特定有価証券入金機１内に取り込み始める（ステップＳ３０１）。
【００９０】
特定有価証券入金機１内に取り込まれた添票は、搬送路２０に沿って搬送され、読み取り・認識部３０であるイメージスキャナに搬送される。約束手形が読み取り・認識部３０に搬送されると、読み取り・認識部３０（イメージスキャナ）は添票に記載された情報のイメージ画像データの読み込みを開始し、読み込んだイメージ画像データを格納部８０に出力する。格納部８０では、読み込んだイメージ画像データを格納する（ステップＳ３０２）。ここで、格納部８０は、読み込んだ添票のイメージ画像データを、手形に関するデータを格納する手形データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。
【００９１】
つぎに、格納部８０に添票のイメージ画像データが格納されると、添票は一時保留部４０に搬送され、収納、保留される（ステップＳ３０３）。また、添票を一時保留部４０に収納する動作とともに、ホッパ１３にセットされた約束手形の機内への取り込みを行い（ステップＳ３０４）、読み取り・認識部３０（イメージスキャナ）は約束手形に記載された情報のイメージ画像データの読み込みを開始し、読み込んだイメージ画像データを格納部８０に出力する。格納部８０では、読み込んだイメージ画像データを格納する（ステップＳ３０５）。格納部８０は、読み込んだ約束手形のイメージ画像データを、手形に関するデータを格納する手形データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。
【００９２】
つぎに、格納部８０に約束手形のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ３０６）。格納部８０は、読み込んだ約束手形の認識データを、手形に関するデータを格納する手形データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。
【００９３】
そして、認識データの格納が終了した約束手形は一時保留部４０に搬送され、収納、保留される（ステップＳ３０７）。また、約束手形を一時保留部４０に収納すると同時に、ホッパ１３にセットされた次の約束手形の機内への取り込みを行い、全ての約束手形を機内に取り込んで一時保留部４０に保留するまで上記のステップＳ３０４〜ステップＳ３０７を繰り返す。なお、図１５および上記の説明においては、説明の便宜上ステップＳ３０１〜ステップＳ３０７をステップ毎に分けて模式的に説明しているが、実際にはステップＳ３０１〜ステップＳ３０７は連続的に処理がなされている。
【００９４】
ホッパ１３にセットされた約束手形が全て機内に取り込まれた後に、図１１に示す「モード選択」の画面において「３．ＯＣＲ結果確認」のボタンを選択する。「３．ＯＣＲ結果確認」のボタンを選択すると、図１０に示すように「ＯＣＲ結果確認」の画面のイメージ画像データ欄１２０−１と認識データ欄１２０−２欄とに、一時保留部４０に保留している約束手形のイメージ画像データと認識データとを表示する（ステップＳ３０８）。
【００９５】
作業者は、この画面において認識データの正当性の確認・修正を行う。認識データの確認は、図１２に示すような「ＯＣＲ結果確認」の画面でイメージ画像データ欄１２０−１と認識データ欄１２０−２との表示を比較することで行う。図１２は小切手を処理する場合の画面であるが手形を処理する場合も同様の画面を使用する。認識データの正当性を確認した結果、認識データの間違いが認められた場合または認識されていない項目がある場合には、認識データ欄１２０−２の修正したい項目を選択して修正データを入力する。修正部９０は、この入力に基づいて認識データの修正を行う（ステップＳ３０９）。そして、全ての約束手形の認識データの確認、修正の終了後、添票と約束手形データの総計との照合が行われる（ステップＳ３１０）。照合の結果、一取引分としての認識データの正当性が確認されない場合（ステップＳ３１０否定）は、ステップＳ３０９に戻り認識データの修正を行う。各約束手形の認識データが正しいにもかかわらず照合の結果が正しくない場合は、図１１に示すような「モード選択」の画面に戻り、「返却」のボタンを選択することにより、添票を含めた約束手形の全てをリジェクト・排出部１２０に返却して（ステップＳ３１１）、処理が終了する。図１１は小切手を処理する場合の画面であるが手形を処理する場合も同様の画面を使用する。
【００９６】
認識データの修正の後、再度照合を行い、一取引分としての認識データの正当性が確認された場合は（ステップＳ３１０肯定）、認識データの承認指示である「確認完了」のボタンを選択し、「登録」のボタンを選択する。入金処理用データ生成部１００ではこの承認指示に基づいて、修正された一取引分としての認識データを承認し、該承認された認識データは入金処理用データとして生成される（ステップＳ３１２）。なお、「確認完了」のボタンと「登録」のボタンとを１つのボタンとして設けても良い。
【００９７】
また、最初の照合の結果、一取引分としての認識データの正当性が確認された場合は（ステップＳ３１０肯定）、認識データの承認指示である「確認完了」のボタンを選択し、「登録」のボタンを選択する。入金処理用データ生成部１００ではこの承認指示に基づいて、一取引分の認識データを承認し、該承認された認識データは入金処理用データとして生成される（ステップＳ３１２）。なお、「確認完了」のボタンと「登録」のボタンとを１つのボタンとして設けても良い。
【００９８】
そして、「確認完了」のボタンを選択して明細が確定すると、図１３に示すような連動入金モードとローカル入金モードとの選択を指示する「収納処理選択」の画面が表示される。手形の場合は、ローカル入金モードしか選択できないので、「１．ローカル入金」のボタンを選択してＩＤとパスワードを入力することで、入金処理用データが作業者のＩＤとパスワードと関連付けられて格納部８０に格納され（ステップＳ３１３）、さらに一時保留部４０に保留した添票および約束手形にエンドーサ５０で管理通番、日付等が印字されて指定された所定のスタッカ６０に収納される（ステップＳ３１４）。ここで、格納部８０は、読み込んだ約束手形の入金処理用データを、手形に関するデータを格納する手形データファイルに個別に管理して格納している。これにより、入金処理用データが生成された後の処理が異なる小切手のデータと手形のデータとを確実に個別管理して、小切手の入金処理用データと手形の入金処理用データとを個別に利用することができ、後処理をスムース且つ確実に行うことができる。また、添票および約束手形は、ホッパ１３にセットされた順番および表裏方向でスタッカ６０に収納される。
【００９９】
また、格納部８０に格納された約束手形の入金処理用データは、データ処理部１７０により、外部出力用データの生成がなされ、たとえば図７に示したようなリストの作成等の処理が行われる。以上のように、格納部８０への入金処理用データの格納、および一時保留部４０に保留した添票および約束手形のスタッカ６０への収納が終了することにより、特定有価証券入金機１における一取引分の約束手形の入金処理が終了する。
【０１００】
上述したように、特定有価証券入金機１によれば、一取引分の約束手形の入金処理を行うとともに、入金処理した約束手形を添票とともに所定のスタッカ６０に自動分類して収納し、管理することが可能である。したがって、ミスのない確実な入金処理が可能であり、作業者の手作業による分類処理が不要となり、作業者の行う作業を低減するとともに効率良く約束手形の入金処理と分類収納処理を行うことが可能である。
【０１０１】
そして、これらの外部出力用データやリスト等は、たとえば約束手形の現品を持ち出し先センター等に搬送する際に出票して手形現品に添付することにより、手形現品の管理用リストや確認用リストとして用いることが可能である。また、手形現品を持ち出し先センター等に搬送する際に、外部出力用データをそのままたとえば持ち出し先センターなどの外部機器に送出することにより、該外部機器において出票して手形現品の管理用リストや確認用リストとして用いることも可能である。このような処理を行うことにより、約束手形の持ち出し業務のための専用の情報リスト等を作成する手間を省略することができ、作業時間の短縮を図ることが可能であり、効率的な処理が可能となる。また、外部出力用データを外部機器において電子データとして保持し、該データの加工やデータ管理に用いることも可能である。
【０１０２】
上述したように、本実施例によれば、特定有価証券を特定有価証券入金機１内に取り込み、該特定有価証券に記載されたデータを読み取って読み取りデータを生成して特定有価証券の種類毎に管理して格納部８０に格納し、読み取りデータを認識して認識データを生成して特定有価証券の種類毎に管理して格納部８０に格納し、認識データの正当性を承認して入金処理データを生成したのち該入金処理データを特定有価証券の種類毎に管理して格納部８０に格納し、外部出力用データを生成して特定有価証券の種類毎に管理して格納部８０に格納し、現金処理機２００および他の外部機器とデータの送受信を行い、特定有価証券を収納するように構成したので、特定有価証券を特定有価証券入金機１内に取り込んで入金処理を行うとともに、入金処理を行った特定有価証券を収納し、管理することが可能である。これにより、手入力による入金処理が不要であるためミスのない確実な入金処理が可能であり、また手作業による特定有価証券の分類処理が不要となり、作業者の行う作業を低減することができる。また、特定有価証券入金機１内において入金処理とともに特定有価証券の分類処理がなされるため、効率良く特定有価証券の入金処理と分類処理を同時に行うことが可能であるという効果を奏する。
【０１０３】
さらに、本実施例によれば、現品が交換所へ持ち出されるという極めて似た現品処理が行われつつも現金処理機での勘定に入る小切手の現品と、現金処理機での勘定に入らない勘定外の手形という異なる性質の２つの特定有価証券についても、現品を同一機器で管理し、且つそのデータを小切手と手形とで個別に管理し、さらに後処理に対応することができるという効果を奏する。また、特定有価証券入金機から小切手の入金処理用データを現金処理機に送出することで、特定有価証券入金機において小切手の現品を管理するとともに、現金処理機において速やかに且つ確実に小切手の入金処理ができるという効果を奏する。そして、小切手と同様に交換所に持ち出されるという現品処理を行うにもかかわらず所定の期日までは勘定処理がなされない手形については現金処理機と連動して入金処理を行わないが、手形現品を持ち出し先センター等に搬送する際に、外部出力用データを出票して手形現品に添付することにより、手形現品の管理用リストや確認用リストとして用いることができ、持ち出し業務のための専用の情報リストを作成する手間を省略することができ、作業時間の短縮を図ることができるという効果を奏する。さらに、外部出力用データを外部機器において電子データとして保持し、該データの加工やデータ管理に用いることもできるという効果を奏する。
【産業上の利用可能性】
【０１０４】
本発明にかかる特定有価証券入金機および特定有価証券入金方法は、金融機関等における効率的な特定有価証券の入金処理および入金処理をした特定有価証券の収納に有用である。
【符号の説明】
【０１０５】
１  特定有価証券入金機
１０  取り込み部
１１  有価証券挿入口
１２  繰り出しローラ
１３  ホッパ
２０  搬送路
３０  読み取り・認識部
４０  一時保留部
５０  エンドーサ
６０  スタッカ
６１  収納ローラ
７０  主制御部
８０  格納部
９０  修正部
１００  入金処理用データ生成部
１１０  収納・排出選択部
１２０  リジェクト・排出部
１２１  排出ローラ
１３０  定形外収納部
１４０  表示部
１５０  操作部
１６０  通信部
１７０  データ処理部
【図１−１】
0005469735.tif 000002
【図１−２】
0005469735.tif 000003
【図２】
0005469735.tif 000004
【図３】
0005469735.tif 000005
【図４】
0005469735.tif 000006
【図５】
0005469735.tif 000007
【図６】
0005469735.tif 000008
【図７】
0005469735.tif 000009
【図８】
0005469735.tif 000010
【図９】
0005469735.tif 000011
【図１０】
0005469735.tif 000012
【図１１】
0005469735.tif 000013
【図１２】
0005469735.tif 000014
【図１３】
0005469735.tif 000015
【図１４】
0005469735.tif 000016
【図１５】
0005469735.tif 000017